(57)【特許請求の範囲】
【請求項１】
底部に第１キャスタを有する装置本体と、
底部に第２キャスタを有し、水平面に沿って開閉自在かつ上下動自在に前記装置本体に、一方の側端部に設けられたヒンジ部によって軸支された開閉体と、
前記開閉体を、前記装置本体に対して、閉方向への移動にともなって前記第２キャスタが前記第２キャスタの接地面から浮き上がるように上昇させ、開方向への移動にともなって前記第２キャスタが前記接地面に接地するように下降させる上下動機構部と、を備え、
前記ヒンジ部は、基体及び回転体から構成され、
前記基体は、上下方向に延びるボス部を有し、前記回転体は、前記上下方向に貫通する円筒部を有し、前記円筒部は、前記ボス部に上方から外挿されるように構成される、開閉装置。
【請求項２】
前記上下動機構部は、前記装置本体に設けられ、前記閉方向において下流側ほど上昇する傾斜部を含む突起部と、前記開閉体に設けられ、前記開閉体の開閉にともなって前記傾斜部を摺動する摺動部とを含む、請求項１に記載の開閉装置。
【請求項３】
前記上下動機構部は、前記開閉体に設けられ、前記閉方向において下流側ほど上昇する傾斜部を含む突起部と、前記装置本体に設けられ、前記開閉体の開閉にともなって前記傾斜部が摺動する摺動部とを含む、請求項１に記載の開閉装置。
【請求項４】
前記第２キャスタは、前記開閉体の前記装置本体に軸支された方の側端部とは反対側の側端部に備えられる、請求項１から３のいずれかに記載の開閉装置。
【請求項５】
前記第１キャスタは、旋回自在な自在輪である、請求項１から４のいずれかに記載の開閉装置。
【請求項６】
前記第２キャスタは、前記開閉体の開閉方向に向きを固定された固定輪である、請求項１から５のいずれかに記載の開閉装置。
【請求項７】
請求項１から６のいずれかに記載の開閉装置を備えた課金装置。
【請求項８】
請求項７に記載の課金装置、及び前記課金装置に投入された金額の範囲内で画像形成処理を行う画像形成装置を備えた画像形成システム。
【発明の詳細な説明】
【技術分野】
【０００１】
この発明は、装置本体及び開閉体のそれぞれの底部にキャスタを有する開閉装置、課金装置、及びこの課金装置を備えた画像形成システムに関する。
【背景技術】
【０００２】
装置本体と装置本体に開閉自在に軸支された開閉体とを備える開閉装置が知られている。開閉装置の中には、移動を容易に行うことができるように、装置本体の底部にキャスタを備えるものがある（例えば、特許文献１参照。）。このような開閉装置において、開閉体の重量が増すと、開閉体が床面から浮き上がっているので、開閉体の開閉時に、開閉体を軸支するヒンジ部に大きな負荷がかかる。また、開閉体を開いた際に、装置本体が開閉体の開方向へ転倒する虞がある。
【０００３】
そこで、このような開閉装置において、開閉体の底部にもキャスタを設けることが考えられる。従来の開閉装置では、開閉体が開いた状態及び閉じた状態のいずれにおいても、装置本体の底部のキャスタ及び開閉体の底部のキャスタの両方が、接地する。
【先行技術文献】
【特許文献】
【０００４】
【特許文献１】特開平１１−２７２９４７号公報
【発明の概要】
【発明が解決しようとする課題】
【０００５】
しかし、従来の開閉装置では、開閉体の底部のキャスタが旋回自在な自在輪である場合、開閉体の開閉時や装置移動時などの開閉体の移動時に、開閉体の底部のキャスタが移動方向とは異なる方向を向いている状態で移動が開始されると、移動するに連れてキャスタが移動方向へ向くまでの間にキャスタに大きな負荷がかかり、キャスタが摩耗しやすい。従来の開閉装置では、開閉体の底部のキャスタは、装置移動時及び開閉体の開閉時の両方において回転する必要があるので、装置本体の底部のキャスタと比較して、より摩耗しやすい。開閉体の底部のキャスタが摩耗すると、キャスタが移動方向とは異なる方向を向いている状態で移動が開始された場合に、キャスタが移動方向へ向かなくなることがある。このため、装置移動及び開閉体の開閉が困難になる。
【０００６】
一方、開閉体の底部のキャスタが向きを固定された固定輪である場合、装置設置時のように開閉装置を移動させる際に、開閉装置を所望の方向へ移動させることが困難である。
【０００７】
この発明の目的は、開閉体の底部のキャスタの摩耗を抑制できるとともに、装置移動を容易に行うことができる開閉装置、課金装置、及びこの課金装置を備えた画像形成システムを提供することにある。
【課題を解決するための手段】
【０００８】
この発明の開閉装置は、装置本体、開閉体、及び上下動機構部を備える。装置本体は、底部に第１キャスタを有する。開閉体は、底部に第２キャスタを有し、水平面に沿って開閉自在かつ上下動自在に装置本体に、一方の側端部に設けられたヒンジ部によって軸支される。上下動機構部は、開閉体を、装置本体に対して、閉方向への移動にともなって上昇させ、開方向への移動にともなって下降させる。
【０００９】
この構成では、開閉体が開いた状態では、第２キャスタは接地する。このため、開閉体の重量が増した場合でも、開閉体の開閉時にヒンジ部にかかる負荷を抑制できる。また、開閉体を開いた際に、装置本体が開閉体の開方向へ転倒することを抑制できる。さらに、開閉体を閉じる際に開閉体が装置本体に対して上昇し、第２キャスタが床面から浮き上がる。このため、開閉装置を移動させる際に開閉体を閉じることで、第２キャスタは床面に接地しなくなる。したがって、第２キャスタの摩耗を抑制できる。
【００１０】
また、開閉体が閉じた状態において第１キャスタ及び第２キャスタの全てが接地する場合は、第２キャスタは、装置移動時及び開閉体の開閉時の両方において回転する必要があるので第１キャスタよりも摩耗しやすいが、この構成では、開閉体が閉じた状態において第２キャスタは床面から浮き上がる。したがって、開閉体が閉じた状態において、第１キャスタ及び第２キャスタの全てが接地する場合と比較して、接地するキャスタの中で最も摩耗の激しいキャスタの摩耗度合いを低減できるので、装置移動を容易に行うことができる。
【００１１】
上述の構成において、上下動機構部は、装置本体に設けられ、閉方向において下流側ほど上昇する傾斜部を含む突起部と、開閉体に設けられ、開閉体の開閉にともなって傾斜部を摺動する摺動部とを含むように構成することができる。
【００１２】
この構成では、開閉体を閉じる際に、開閉体の摺動部が装置本体の傾斜部を摺動することで、開閉体が上昇し、第２キャスタが床面から浮き上がる。また、開閉体を開く際に、開閉体の摺動部が装置本体の傾斜部を摺動することで、開閉体が下降し、第２キャスタが床面に接地する。このため、簡単な構成で開閉体を上下動させることができ、第２キャスタの摩耗を抑制できる。
【００１３】
また、上下動機構部は、開閉体に設けられ、閉方向において下流側ほど上昇する傾斜部を含む突起部と、装置本体に設けられ、開閉体の開閉にともなって傾斜部が摺動する摺動部とを含むように構成することができる。
【００１４】
この構成では、開閉体を閉じる際に、開閉体の傾斜部が装置本体の摺動部を摺動することで、開閉体が上昇し、第２キャスタが床面から浮き上がる。また、開閉体を開く際に、開閉体の傾斜部が装置本体の摺動部を摺動することで、開閉体が下降し、第２キャスタが床面に接地する。このため、簡単な構成で開閉体を上下動させることができ、第２キャスタの摩耗を抑制できる。
【００１５】
さらに、第２キャスタは、開閉体の装置本体に軸支された方の側端部とは反対側の側端部に備えられることが好ましい。
【００１６】
開閉体が開いた状態において、開閉体の重量は、開閉体を軸支するヒンジ部と第２キャスタとによって支持されるが、この構成では、ヒンジ部と第２キャスタとが開閉体の互いに反対側の側端部に備えられるので、開閉体を安定的に支持することができる。
【００１７】
また、第１キャスタは、旋回自在な自在輪であることが好ましい。装置本体の底部の第１キャスタに自在輪を用いるので、開閉体を閉じることで装置移動を容易に行うことができる。
【００１８】
さらに、第２キャスタは、開閉体の開閉方向に向きを固定された固定輪であることが好ましい。
【００１９】
この構成では、開閉体の開閉時に、第２キャスタが常に開閉方向を向いているので、第２キャスタの摩耗が抑制される。また、開閉体が閉じた状態では第２キャスタは床面から浮き上がるので、開閉装置を移動させる際に開閉体を閉じることで、装置移動を容易に行うことができる。
【００２０】
この発明の課金装置は、上述のいずれかの構成の開閉装置を備える。
【００２１】
この発明の画像形成システムは、上述の構成の課金装置、及び課金装置に投入された金額の範囲内で画像形成処理を行う画像形成装置を備える。
【発明の効果】
【００２２】
この発明によれば、開閉体の底部のキャスタの摩耗を抑制できるとともに、装置移動を容易に行うことができる。
【図面の簡単な説明】
【００２３】
【図１】この発明の開閉装置の実施形態に係る課金装置を備える画像形成システムの全体図である。
【図２】開閉体が閉じた状態の課金装置の斜視図である。
【図３】開閉体が開いた状態の課金装置の斜視図である。
【図４】開閉体が閉じた状態の課金装置の底面図である。
【図５】開閉体が開いた状態の課金装置の底面図である。
【図６】ヒンジ部の拡大斜視図である。
【図７】開閉体が閉じる直前の状態の突起部及び摺動部の拡大図である。
【図８】開閉体が閉じた状態の突起部及び摺動部の拡大図である。
【図９】他の実施形態に係る課金装置の一部拡大図である。
【発明を実施するための形態】
【００２４】
以下に、この発明の実施形態について、図面を用いて説明する。
【００２５】
図１に示すように、画像形成システム１０は、画像形成装置２０、及びこの発明の開閉装置の実施形態に係る課金装置３０を備える。画像形成装置２０と課金装置３０とは、互いに情報伝達自在なように電気配線で接続されている。画像形成システム１０は、ユーザが指定した画像形成条件の下で、課金装置３０に投入された金額の範囲内で画像形成処理を行うように構成されている。
【００２６】
画像形成装置２０は、画像読取部２１、画像形成部２２、給紙部２３、及び操作部２４を備える。画像読取部２１は、原稿の画像を読み取って画像データを生成する。画像形成部２２は、電子写真方式の画像形成処理を実行することで、用紙に画像を形成する。給紙部２３は、収容する用紙を画像形成部２２へ供給する。操作部２４は、例えば液晶タッチパネルで構成され、種々の情報を表示するとともに、種々の入力操作を受け付ける。
【００２７】
図２，３に示すように、課金装置３０は、装置本体４０、及び開閉体５０を備えている。
【００２８】
装置本体４０は、領収書プリンタ４１、及びプリンタ４２を内蔵している。一例として、プリンタ４２は昇華型プリンタである。
【００２９】
開閉体５０は、水平面に沿って開閉自在に、装置本体４０に、一方の側端部に設けられた複数のヒンジ部５１〜５４によって軸支されている。これによって、開閉体５０は、図２に示すように装置本体４０の開口面４６（図３参照）を閉塞する閉位置と、図３に示すように装置本体４０の開口面４６を開放する開位置との間で、装置本体４０に対して開閉自在である。
【００３０】
開閉体５０は、上面に硬貨投入口５５を有し、前面に、領収書排出口５６、紙幣投入口５７、硬貨返却口５８、及びプリンタ排出口５９を有している。開閉体５０から投入された料金は、開閉体５０内に一次的に保管される。
【００３１】
図４及び図５に示すように、課金装置３０は、装置本体４０の底部に複数の第１キャスタ６１，６２，６３，６４を有し、開閉体５０の底部に１個の第２キャスタ６５を有している。
【００３２】
一例として、第１キャスタ６１〜６４は、装置本体４０の底部の角部のそれぞれに１個ずつ設けられ、合計で４個設けられている。第１キャスタ６２〜６４は、第１キャスタ６１と同様に構成されている。
【００３３】
第１キャスタ６１は、取付軸及びローラを有し、鉛直方向の取付軸を中心として水平面に沿って３６０度旋回自在に構成された自在輪であることが好ましい。
【００３４】
第２キャスタ６５は、開閉体５０の装置本体４０に軸支された方の側端部とは反対側の側端部に、１個備えられている。第２キャスタ６５は、取付軸及びローラを有し、開閉体５０の開閉方向９１に向きを固定された固定輪であることが好ましい。
【００３５】
ヒンジ部５２〜５４は、ヒンジ部５１と同様に構成されている。
【００３６】
図６に示すように、ヒンジ部５１は、基体５１１及び回転体５１２から構成されている。
【００３７】
基体５１１は、取付部５１１Ａ、基台部５１１Ｂ、ボス部５１１Ｃを有している。取付部５１１Ａは、装置本体４０の一方の側端部に固定されている。基台部５１１Ｂは、取付部５１１Ａの水平方向における一端部に設けられている。ボス部５１１Ｃは、基台部５１１Ｂから上方へ延び、基台部５１１Ｂよりも小径な円形断面を呈している。ボス部５１１Ｃは、上端部に、上方ほど小径になるテーパ部５１１Ｄを有している。
【００３８】
回転体５１２は、取付部５１２Ａ及び円筒部５１２Ｂを有している。取付部５１２Ａは、開閉体５０の一方の側端部に固定されている。円筒部５１２Ｂは、取付部５１２Ａの水平方向における一端部に設けられている。円筒部５１２Ｂは、上下方向に貫通し、ボス部５１１Ｃに上方から外挿される。このようにして、回転体５１２は、水平面に沿って回転自在、かつ上下動自在に、基体５１１に軸支されている。即ち、開閉体５０は、水平面に沿って開閉自在かつ上下動自在に装置本体４０に、一方の側端部に設けられたヒンジ部５１〜５４によって軸支されている。
【００３９】
図７及び図８に示すように、装置本体４０は、突起部４３をさらに備えている。突起部４３は、水平方向においてヒンジ部５１〜５４が取り付けられているのとは反対側の側端部に設けられている。突起部４３は、開閉体５０の閉方向９２において下流側ほど上昇する傾斜部４４を含む。突起部４３は、閉方向９２において傾斜部４４の下流側に、水平部４５を有することが好ましい。
【００４０】
開閉体５０は、閉位置において突起部４３に対向する位置に、摺動部７０を備えている。摺動部７０は、開閉体５０の開閉にともなって傾斜部４４を摺動するように構成されている。この実施形態では、摺動部７０は、鉛直部７１及び底辺部７２を有している。底辺部７２は、鉛直部７１の下端から、閉方向９２における上流側即ち開方向９３へ、水平方向に所定寸法延びている。鉛直部７１と底辺部７２とのつなぎ目部分の外側面は、周面状に面取りされていることが好ましい。一例として、摺動部７０は、開閉体５０の構造フレームの一部として構成される。
【００４１】
図７に示すように、摺動部７０の底辺部７２は、開閉体５０が装置本体４０に対して開いた状態では、閉方向９２における傾斜部４４の上流側端部の高さに位置する。
【００４２】
開閉体５０が閉じられるのにともなって、摺動部７０が傾斜部４４を摺動することで、開閉体５０が装置本体４０に対して上昇し、第２キャスタ６５が床面から浮き上がる。
【００４３】
突起部４３及び摺動部７０は、開閉体５０を、装置本体４０に対して、閉方向９２への移動にともなって上昇させ、開方向９３への移動にともなって下降させる、上下動機構部に含まれる。
【００４４】
摺動部７０の底辺部７２は、開閉体５０が閉じられるのにともなって傾斜部４４を摺動し、突起部４３の水平部４５まで移動する。底辺部７２が水平部４５上に位置することで、開閉体５０に開方向９３への力が働くことを防止できる。このため、開閉体５０の閉位置における安定性を向上できる。
【００４５】
課金装置３０では、開閉体５０が開いた状態では、第２キャスタ６５は接地する。このため、開閉体５０の重量が増した場合でも、開閉体５０の開閉時にヒンジ部５１〜５４にかかる負荷を抑制できる。また、開閉体５０を開いた際に、装置本体４０が開閉体５０の開方向９３へ転倒することを抑制できる。
【００４６】
また、開閉体５０が閉じた状態では第２キャスタ６５が床面から浮き上がるので、課金装置３０を移動させる際に開閉体５０を閉じることで、第２キャスタ６５の摩耗を抑制できる。
【００４７】
さらに、開閉体５０が閉じた状態において第１キャスタ６１〜６４及び第２キャスタ６５の全てが接地すると仮定した場合は、第２キャスタ６５は、課金装置３０の移動時及び開閉体５０の開閉時の両方においてローラが回転する必要があるので第１キャスタ６１〜６４よりも摩耗しやすいが、課金装置３０では、開閉体５０が閉じた状態において第２キャスタ６５は床面から浮き上がる。したがって、開閉体５０が閉じた状態において、第１キャスタ６１〜６４及び第２キャスタ６５の全てが接地する場合と比較して、接地するキャスタの中で最も摩耗の激しいキャスタの摩耗度合いを低減できるので、課金装置３０の移動を容易に行うことができる。
【００４８】
開閉体５０が開いた状態において、開閉体５０の重量は、開閉体５０を軸支するヒンジ部５１〜５４と第２キャスタ６５とによって支持されるが、課金装置３０では、ヒンジ部５１〜５４と第２キャスタ６５とが開閉体５０の互いに反対側の側端部に備えられるので、開閉体５０を安定的に支持することができる。
【００４９】
装置本体４０の底部の第１キャスタ６１〜６４として自在輪を用いるので、開閉体５０を閉じることで課金装置３０の移動を容易に行うことができる。
【００５０】
開閉体５０の底部の第２キャスタとして開閉体５０の開閉方向９１に向きを固定された固定輪を用いることで、開閉体５０の開閉時に、第２キャスタ６５が常に開閉方向９１を向くので、第２キャスタ６５の摩耗を抑制できる。また、開閉体５０が閉じた状態では第２キャスタ６５は床面から浮き上がるので、課金装置３０を移動させる際に開閉体５０を閉じることで、課金装置３０の移動を容易に行うことができる。
【００５１】
このように、課金装置３０によれば、開閉体５０の底部の第２キャスタ６５の摩耗を抑制できるとともに、課金装置３０の移動を容易に行うことができる。
【００５２】
なお、図９に示すように、突起部４３を開閉体５０に設け、摺動部７０を装置本体４０に設けることもできる。図９に示す実施形態では、説明の便宜上、図７に示す実施形態と同様の構成については同じ符号を使用している。
【００５３】
突起部４３は、閉方向９２において下流側ほど上昇する傾斜部４４を含む。傾斜部４４は、開閉体５０の開閉にともなって摺動部７０を摺動する。摺動部７０は、鉛直部７１及び上辺部７３を有している。突起部４３は、閉方向９２において傾斜部４４の上流側に、水平部４５を有することが好ましい。突起部４３及び摺動部７０は、上下動機構部に含まれる。
【００５４】
この構成では、開閉体５０を閉じる際に、開閉体５０の傾斜部４４が装置本体４０の摺動部７０を摺動することで、開閉体５０が上昇し、第２キャスタ６５が床面から浮き上がる。また、開閉体５０を開く際に、開閉体５０の傾斜部４４が装置本体４０の摺動部７０を摺動することで、開閉体５０が下降し、第２キャスタ６５が床面に接地する。このため、簡単な構成で開閉体５０を上下動させることができ、第２キャスタ６５の摩耗を抑制できる。
【００５５】
また、この発明の開閉装置は、課金装置以外のものにも適用することができ、その場合にも、開閉体５０の底部の第１キャスタ６５の摩耗を抑制できるとともに開閉装置の移動を容易に行うことができるという効果を奏することができる。
【００５６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５７】
１０  画像形成システム
３０  課金装置
４０  装置本体
４３  突起部
４４  傾斜部
５０  開閉体
５１〜５４  ヒンジ部
６１〜６４  第１キャスタ
６５  第２キャスタ
７０  摺動部
９１  開閉方向
９２  閉方向
【図４】
0005970226.tif 000002
【図５】
0005970226.tif 000003
【図６】
0005970226.tif 000004
【図７】
0005970226.tif 000005
【図８】
0005970226.tif 000006
【図９】
0005970226.tif 000007
【図１】
0005970226.tif 000008
【図２】
0005970226.tif 000009
【図３】
0005970226.tif 000010